(57)【要約】【課題】  着用者の足に対するフィット性を向上でき、様々な足の形状に対応できるシューズ用緊締構造を提供する。【解決手段】  甲被３の内側面３Ａ，３Ｂに沿って配設され、実質的に上方に延びるとともに、下端４０ｂ，４１ｂがシューズ１の底部に固着されかつ上端４０ａ，４１ａが甲被上部に固着された帯状の緊締部材４０，４１を設ける。緊締部材４０，４１は、それぞれ甲被３との間でループ構造４を形成しており、靴紐４２がループ構造４の上端の折返し部に挿通されている。【選択図】  図３
2006346316.tif 000002
【特許請求の範囲】
【請求項１】
シューズの緊締構造であって、
甲被に沿って配設され、実質的に上方に延びる緊締部材を備え、
前記緊締部材の下端がシューズの底部に固着されかつ上端が甲被上部に固着されることにより、前記緊締部材が甲被との間でループ構造を形成しており、
靴紐が前記ループ構造の上端の折返し部に挿通されている、
ことを特徴とするシューズの緊締構造。
【請求項２】
請求項１において、
前記緊締部材が、その上端および下端を除いて甲被に固着されることなく、甲被の内側面に沿って配設されている、
ことを特徴とするシューズの緊締構造。
【請求項３】
請求項１において、
前記緊締部材が、その上端および下端を除いて甲被に固着されることなく、甲被の外側面に沿って配設されている、
ことを特徴とするシューズの緊締構造。
【請求項４】
請求項１ないし３のいずれかにおいて、
前記緊締部材が、その下端から上端にかけて帯状に延びるベルト状部材である、
ことを特徴とするシューズの緊締構造。
【請求項５】
請求項１ないし３のいずれかにおいて、
前記緊締部材が、その下端から上端にかけてシューズの中足部領域に延在する幅広の部材であって、その上端は、前後方向の間隔を隔てて配置された複数のベルトを介して甲被上部に固着されている、
ことを特徴とするシューズの緊締構造。
【請求項６】
請求項４または５において、
前記緊締部材の下端がシューズの底部の踵部領域または中足部領域に固着されている、
ことを特徴とするシューズの緊締構造。
【請求項７】
請求項１ないし６のいずれかにおいて、
前記緊締部材が、甲被の内甲側および外甲側にそれぞれ設けられた一対の部材から構成されている、
ことを特徴とするシューズの緊締構造。
【発明の詳細な説明】
【技術分野】
【０００１】
本発明は、シューズの緊締構造に関し、詳細には、着用者の足に対するフィット性を向上させるための構造の改良に関する。
【背景技術】
【０００２】
シューズのフィット性を向上させるために、これまで種々の緊締構造が提案されている。たとえば、実開昭５９−１２８２０２号公報に示すものは、甲被の内側において内甲側および外甲側にそれぞれ配設された左右一対の締付バンドを有している。各締付バンドの下端は底部に固着され、上端は靴紐挿通用のハトメ孔を有している。この場合には、各締付バンド上端のハトメ孔に挿入された靴紐を締め付けることにより、締付バンドがシューズ着用者の足を締め付けるようになっている。
【０００３】
国際公開第０１/８２７３５号パンフレットの第１０図に示すものは、甲被の内側に配設された左右一対のベルト部材を有している。各ベルト部材の下端は底部に固着され、上端は甲被上部を挿通して靴紐に連結されている。この場合には、靴紐を締め付けることにより、各ベルト部材が着用者の足を締め付けるようになっている。
【０００４】
実公平２−３２９１号公報に示すものは、甲被の内側に配設されたインナーベルトを有している。インナーベルトは、甲被上部に形成されたベルト挿通孔を挿通して上方に延びており、インナーベルトの上部には、面ファスナおよびリングからなる締結具が設けられている。この場合には、インナーベルトを締め付けることにより、インナーベルトが着用者の足を締め付けるようになっている。
【０００５】
特開平９−６５９０８号公報に示すものは、甲被の内側に配設された帯状の補強部材を有している。補強部材の下端は底部に固着されている。補強部材は、甲被上部の内甲側および外甲側においてそれぞれ折返し部を形成してこれらを縫合することにより形成された左右一対の靴紐通し部を有している。各靴紐通し部は甲被上部の開孔から甲被外側に覗いている。この場合には、各靴紐通し部を通した靴紐を締め付けることにより、各補強部材が着用者の足を締め付けるようになっている。
【０００６】
前記各公報に記載のものでは、いずれも甲被の内側に配設された各ベルト部材を着用者の足の回りに締付固定することにより、シューズのフィット性を向上させようとしている。しかしながら、実開昭５９−１２８２０２号公報に記載のものでは、各ベルト部材および甲被が直接連係された関係にはなく、各ベルト部材の締付けが直接甲被を足の回りに締め付けるようには構成されていない。また、国際公開第０１/８２７３５号パンフレット、実公平２−３２９１号公報および特開平９−６５９０８号公報に記載のものでは、いずれも甲被上部の開孔を介して各ベルト部材が甲被に係止されてはいるが、各ベルト部材の締付けにより各ベルト部材に作用する張力がそのまま甲被に作用するようには構成されていない。このため、様々な足の形状に対応することができず、甲被と着用者の足とのフィット性を向上させるにも限界があった。
【０００７】
その一方、特開２００１−２１１９０３号公報に示すものでは、甲被の外側において内甲側および外甲側にそれぞれ内甲側緊締部材および外甲側緊締部材が配設されている。各緊締部材の中央部は、底部のスリットを挿通して該スリットに係止されており、上部は各緊締部材を緊締するための面ファスナなどの締着具を有している。この場合には、内甲側および外甲側緊締部材を締め付けることにより、各緊締部材からの締付力が甲被の表面側から着用者の足に作用するようになっている。
【０００８】
特許２８３２６８４公報に示すものでは、甲被の外側において内甲側および外甲側に帯状の締付材がそれぞれジグザグに配設されている。この締付材においては、上側の折返し部に靴紐が係止されており、下側の折返し部はソールに形成されたスリットに係止されている。この場合には、靴紐を締め付けることにより、各締付材からの締付力が甲被の表面側から着用者の足に作用するようになっている。
【０００９】
しかしながら、これらの公報に記載のものでは、各ベルト部材の締付けにより各ベルト部材に作用する張力がそのまま甲被に作用するようには構成されておらず、このため、様々な足の形状に対応することができず、甲被と着用者の足とのフィット性を向上させるにも限界があった。
【００１０】
また、登録実用新案第３０３８１５６号公報には、甲被の外側において内甲側および外甲側にそれぞれベルト材を縫合するとともに、各ベルト材の上端を折り返して紐通し部を形成し、これらの紐通し部に靴紐を通したものが示されている。この場合には、折返し部を除くベルト材全体が甲被に縫合されているため、靴紐を締め付けることにより、各ベルト材が縫合されている甲被部位ごと着用者の足を締め付けるようになっている。
【００１１】
しかしながら、この場合には、ベルト材全体が甲被に縫合されていることによって、ベルト材を引っ張った際にベルト材の動きが甲被によって阻害され、その結果、ベルト材に十分な張力を作用させることができず、甲被と着用者の足とのフィット性を向上させるにも限界があった。
【特許文献１】実開昭５９−１２８２０２号公報（第３図参照）
【特許文献２】国際公開第０１/８２７３５号パンフレット（第１０図参照）
【特許文献３】実公平２−３２９１号公報（第１図ないし第３図参照）
【特許文献４】特開平９−６５９０８号公報（図１および図３参照）
【特許文献５】特開２００１−２１１９０３号公報（図１および図２参照）
【特許文献６】特許２８３２６８４公報（図１参照）
【特許文献７】登録実用新案第３０３８１５６号公報（図１および図３参照）
【発明の開示】
【発明が解決しようとする課題】
【００１２】
本発明が解決しようとする課題は、着用者の足に対するフィット性を向上でき、様々な足の形状に対応できるシューズ用緊締構造を提供することにある。
【課題を解決するための手段】
【００１３】
請求項１の発明に係るシューズ用緊締構造は、甲被に沿って配設され、実質的に上方に延びる緊締部材を備えている。緊締部材の下端はシューズの底部に固着され、上端は甲被上部に固着されており、緊締部材が甲被との間でループ構造を形成している。靴紐は、ループ構造の上端の折返し部に挿通されている。
【００１４】
請求項１の発明によれば、靴紐を締め付けると、ループ構造の上端の折返し部を介して、緊締部材および甲被の双方に均等に張力が作用する。しかも、この場合には、緊締部材の上端のみが甲被上部に固着されているので、緊締部材の動きが甲被によって阻害されることはなく、緊締部材に十分な張力を発生させることが可能である。これにより、緊締部材に発生した張力のみならず、甲被に発生した張力によって、着用者の足を十分に締め付けることができるようになり、その結果、甲被と着用者の足とのフィット性を向上できる。このようにして、様々な形状の足に対応できるようになり、足の個体差に係らず、最適なフィット感を提供できる。
【００１５】
請求項２の発明においては、緊締部材が、その上端および下端を除いて甲被に固着されることなく、甲被の内側面に沿って配設されている。
【００１６】
この場合には、靴紐を締め付けると、甲被の内側に配設された緊締部材が直接着用者の足を締め付けるので、着用者の足に対して強固な締付力を確保できる。
【００１７】
請求項３の発明においては、緊締部材が、その上端および下端を除いて甲被に固着されることなく、甲被の外側面に沿って配設されている。
【００１８】
この場合には、靴紐を締め付けると、甲被の外側に配設された緊締部材が甲被を介して着用者の足を締め付けるので、請求項２の発明と比較すると、着用者の足に対する締付力をよりソフトなものにすることができる。
【００１９】
請求項４の発明においては、緊締部材が、その下端から上端にかけて帯状に延びるベルト状部材である。
【００２０】
この場合には、緊締部材による締付圧が帯状のベルト状部材から作用するため、着用者の足に対する緊締部材の締付圧を高くすることができ、これにより、足に対するフィット感を向上できる。
【００２１】
請求項５の発明においては、緊締部材が、その下端から上端にかけてシューズの中足部領域に延在する幅広の部材であって、その上端は、前後方向の間隔を隔てて配置された複数のベルトを介して甲被上部に固着されている。
【００２２】
この場合には、緊締部材による締付圧が幅広の部材全体から足に作用するため、緊締部材による締付圧を足の締付個所に対してよりソフトに作用させることができ、足の局所に対する過度の締付けを回避できる。
【００２３】
請求項６の発明においては、緊締部材の下端がシューズの底部の踵部領域または中足部領域に固着されている。
【００２４】
請求項７の発明においては、緊締部材が、甲被の内甲側および外甲側にそれぞれ設けられた一対の部材から構成されている。
【発明の効果】
【００２５】
以上のように本発明によれば、下端がシューズ底部に固着されかつ上端が甲被上部に固着されて甲被との間でループ構造を形成する緊締部材を甲被に沿って配設するとともに、ループ構造の上端の折返し部に靴紐を挿通するようにしたので、靴紐を締め付けた際に、ループ構造の上端の折返し部を介して緊締部材および甲被の双方に均等かつ十分な大きさの張力を作用させることができる。これにより、緊締部材および甲被の双方によって、着用者の足を十分に締め付けることができるようになり、甲被と着用者の足とのフィット性を向上できる。
【発明を実施するための最良の形態】
【００２６】
以下、本発明の実施例を添付図面に基づいて説明する。
＜第１の実施例＞
図１ないし図４は、本発明の第１の実施例によるシューズ用緊締構造を説明するための図であって、図１はシューズの外甲側側面図、図２は図１の一部縦断面図、図３は図２のIII-III線断面図、図４は本実施例による緊締構造の作用効果を従来構造と比較したグラフである。
【００２７】
図１に示すように、シューズ１は、ソール２と、その上部に固着された甲被３と、甲被３を緊締するための緊締構造４とを備えている。
【００２８】
緊締構造４は、図２および図３に示すように、シューズ１の内甲側において甲被３の内側面３Ａに沿って配設された緊締部材４０と、シューズ１の外甲側において甲被３の内側面３Ｂに沿って配設された緊締部材４１とを備えている。緊締部材４０，４１は実質的に上方に延びており、この例ではいずれも帯状のベルト状部材である。
【００２９】
各緊締部材４０，４１の下端４０ｂ，４１ｂは、シューズ１の底部、ここでは、ソール２の踵部領域２Ａにおいて中底５の側縁部および甲被３の下部に縫合されて固着されている。また、各緊締部材４０，４１の上端４０ａ，４１ａは、甲被３の外側面側に折り返されて甲被３の上部に固着されている。各緊締部材４０，４１は、その上端４０ａ，４１ａおよび下端４０ｂ，４１ｂを除いて甲被３に固着されることなく、甲被３から遊離しており、甲被３との間でループ構造を形成している。靴紐４２は、このループ構造の上端の折返し部に挿通している（図３参照）。
【００３０】
次に、本実施例の作用効果について説明する。
着用者がシューズ１を着用した状態で靴紐４２を締め付けると、靴紐４２からの引張力は、ループ構造４の上端の各折返し部に対して、シューズ内方（図３矢印Ｓ方向）に作用する。このとき、靴紐４２がループ構造上端の各折返し部内を移動可能に設けられていることにより、靴紐４２からの引張力は、内甲側および外甲側の双方において、着用者の足の様々な形状に容易に対応して緊締部材および甲被３の双方に均等に張力を作用させる。
【００３１】
さらに、この場合には、緊締部材４０，４１の上端のみが甲被上部に固着されていることにより、靴紐４２からの引張力により生じる緊締部材４０，４１全体のシューズ内方への動きが甲被３の内側面３Ａ，３Ｂによって阻害されることはなく、靴紐４２からの引張力に見合った十分な大きさの張力が緊締部材４０，４１に発生する。
【００３２】
これにより、緊締部材４０，４１に発生した張力のみならず、甲被３に発生した張力によって、着用者の足を十分に締め付けることができるようになり、その結果、甲被３と着用者の足とのフィット性を向上できる。このようにして、様々な形状の足に対応できるようになり、足の個体差に係らず、最適なフィット感を提供できる。
【００３３】
しかも、この場合には、緊締部材４０，４１が甲被３の内側に配設されているので、靴紐４２を締め付けた際には、緊締部材４０，４１が直接着用者の足を締め付けるようになっており、これにより、着用者の足に対して強固な締付力を確保できる。また、この場合、緊締部材４０，４１が帯状のベルト状部材であることにより、足に対する緊締部材４０，４１の締付圧を高くすることができ、これにより、着用者の足に対するフィット感を向上できる。
【００３４】
ここで、フィット性の官能評価実験を行った結果を図４に示す。
この実験においては、まず、本発明品（当該第１の実施例のような内側ベルトループ構造のシューズ）と、従来品Ａ（甲被に鳩目を形成してこれに靴紐を通した鳩目タイプのシューズ）と、従来品Ｂ（前記特許文献２の第１０図に記載されたような内側ベルト独立構造のシューズ）との３種類のシューズを用意した。そして、５人の被験者にそれぞれ３種類のシューズを履き比べてもらって、フィット性の順位を付けてもらった。その際、第１位のものを３点、第２位のものを２点、第３位のものを１点として、各シューズの獲得ポイントを比較した。
【００３５】
図４のグラフから分かるように、従来品Ａは獲得ポイントが７ポイントで３者のうち最も低く、また従来品Ｂは、従来品Ａよりもわずかに優れていて獲得ポイントが９ポイントであった。これに対して、本発明品は、満点１５ポイントのうちの１４ポイントを獲得しており、他の２者と比べてもずば抜けて評価が高く、フィット性が飛躍的に向上していることが裏付けられた。
【００３６】
＜第２の実施例＞
図５ないし図７は、本発明の第２の実施例によるシューズ用緊締構造を説明するための図であって、図５はシューズの外甲側側面図、図６は図５の一部縦断面図、図７は図６のVII-VII線断面図である。なお、これらの図において、前記第１の実施例と同一符号は同一または相当部分を示している。
【００３７】
これらの図に示すように、この緊締構造４は、シューズ１’の内甲側において甲被３の内側面３Ａに沿って配設された緊締部材４０’と、シューズ１の外甲側において甲被３の内側面３Ｂに沿って配設された緊締部材４１’とを備えている。緊締部材４０’，４１’は実質的に上方に延びており、この例では、前記第１の実施例と異なり、いずれもシューズ前後方向に延在する幅広の部材である。
【００３８】
各緊締部材４０’，４１’の下端４０’ｂ，４１’ｂは、シューズ１’の底部、ここでは、ソール２の中足部（土踏まず部）領域２Ｂにおいて中底５の側縁部および甲被３の下部に縫合されて固着されている。また、緊締部材４０’の上端４０’ａは、シューズ前後方向に間隔を隔てて配設された複数のベルト部材４５，４６，４７を介して甲被３の上部に固着されている。同様に、緊締部材４１’の上端４１’ａは、シューズ前後方向に間隔を隔てて配設された複数のベルト部材４５’，４６’，４７’を介して甲被３の上部に固着されている。
【００３９】
図７に示す例では、各ベルト部材は、甲被３の内側面３Ａ，３Ｂ側から外側面側にかけて延設されている。すなわち、ベルト部材４５，４６，４７は、甲被内側において各下端が中底５の側縁部および甲被３の下部に縫合されて固着されるとともに、甲被３の内側面３Ａに沿って配設されて上方に延び、甲被上端で甲被３の外側面側に折り返されるとともに、外側面に沿って配設されて下方に延びている。ベルト部材４５は、甲被外側における下端がソール２に固着されている。ベルト部材４６，４７は、甲被外側において甲被３と一体化されてソール２に固着されている。ベルト部材４５，４６，４７は、甲被内側においては、その下端を除いて甲被３の内側面３Ａから遊離しており、緊締部材４０’に縫合されている。
【００４０】
ベルト部材４５，４６，４７は、甲被外側においては、Ｅ点から下方の領域において、甲被３に縫合されている。したがって、緊締部材４０’は、ベルト部材４５，４６，４７を介して、甲被３との間でループ構造を形成している。靴紐４２は、各ベルト部材４５，４６，４７の折返し部の内側に挿通されている。
【００４１】
同様に、ベルト部材４５’，４６’，４７’は、甲被内側において各下端が中底５の側縁部および甲被３の下部に縫合されて固着されるとともに、甲被３の内側面３Ｂに沿って配設されて上方に延び、甲被上端で甲被３の外側面側に折り返されるとともに、外側面に沿って配設されて下方に延びている。ベルト部材４５’は、甲被外側における下端がソール２に固着されている。ベルト部材４６’，４７’は、甲被外側において甲被３と一体化されてソール２に固着されている（図５参照）。ベルト部材４５’，４６’，４７’は、甲被内側においては、その下端を除いて甲被３の内側面３Ｂから遊離しており、緊締部材４１’に縫合されている。
【００４２】
ベルト部材４５’，４６’，４７’は、甲被外側においては、Ｆ点から下方の領域において、甲被３に縫合されている。したがって、緊締部材４１’は、ベルト部材４５’，４６’，４７’を介して、甲被３との間でループ構造を形成している。靴紐４２は、各ベルト部材４５’，４６’，４７’の折返し部の内側に挿通されている。
【００４３】
次に、本実施例の作用効果について説明する。
着用者がシューズ１’を着用した状態で靴紐４２を締め付けると、靴紐４２からの引張力は、各ベルト部材の折返し部に対して、シューズ内方（図７矢印Ｓ方向）に作用する。この引張力は、内甲側においては、各ベルト部材４５，４６，４７を介して緊締部材４０’および甲被３の双方に均等に張力を発生させる。同様に、外甲側においては、各ベルト部材４５’，４６’，４７’を介して緊締部材４１’および甲被３の双方に均等に張力を発生させる。
【００４４】
このとき、緊締部材４０’，４１’は、甲被内部においてその下端４０’ｂ，４１’ｂを除いて内側面３Ａ，３Ｂから遊離しているので、靴紐４２からの引張力により生じる緊締部材４０’，４１’全体のシューズ内方への動きが甲被３の内側面３Ａ，３Ｂによって阻害されることはなく、靴紐４２からの引張力に見合った十分な大きさの張力が緊締部材４０’，４１’に発生する。
【００４５】
これにより、緊締部材４０’，４１’に発生した張力のみならず、甲被３に発生した張力によって、着用者の足を十分に締め付けることができるようになり、その結果、甲被３と着用者の足とのフィット性を向上できる。このようにして、様々な形状の足に対応できるようになり、足の個体差に係らず、最適なフィット感を提供できる。
【００４６】
しかも、この場合には、緊締部材４０’，４１’が甲被３の内側に配設されているので、靴紐４２を締め付けた際には、緊締部材４０’，４１’が直接着用者の足を締め付けるようになっており、これにより、着用者の足に対して強固な締付力を確保できる。また、この場合、緊締部材４０’，４１’による締付圧が幅広の部材全体から足に作用するため、緊締部材４０’，４１’による締付圧を足の締付個所に対してよりソフトに作用させることができ、足の局所に対する過度の締付けを回避できる。
【００４７】
＜第３の実施例＞
図８は、本発明の第３の実施例による緊締構造が採用されたシューズの横断面図である。なお、同図において、前記第１の実施例の図３と同一符号は同一または相当部分を示している。
【００４８】
この第３の実施例では、緊締部材が甲被の外側に配設されている点が前記第１の実施例と異なっている。すなわち、図８に示す緊締構造４は、シューズ１”の内甲側において甲被３の外側面３Ｃに沿って配設された緊締部材４０”と、シューズ１”の外甲側において甲被３の外側面３Ｄに沿って配設された緊締部材４１”とを備えている。緊締部材４０”，４１”は実質的に上方に延びている。
【００４９】
各緊締部材４０”，４１”の下端４０”ｂ，４１”ｂは、シューズ１”の底部に固着されている。また、各緊締部材４０”，４１”の上端４０”ａ，４１”ａは、甲被３の内側面側に折り返されて甲被３の上部に固着されている。各緊締部材４０”，４１”は、その上端４０”ａ，４１”ａおよび下端４０”ｂ，４１”ｂを除いて甲被３に固着されることなく、甲被３から遊離しており、甲被３との間でループ構造を形成している。なお、各緊締部材４０”，４１”の長さは、当該緊締部材４０”，４１”のそれぞれがオーバラップする甲被部分の長さよりも長くなっている。靴紐４２は、このループ構造の上端の折返し部に挿通している。
【００５０】
次に、本実施例の作用効果について説明する。
着用者がシューズ１”を着用した状態で靴紐４２を締め付けると、靴紐４２からの引張力は、ループ構造４の上端の各折返し部に対して、シューズ内方（図８矢印Ｓ方向）に作用する。このとき、靴紐４２がループ構造上端の各折返し部内を移動可能に設けられていることにより、靴紐４２からの引張力は、内甲側および外甲側の双方において、着用者の足の様々な形状に容易に対応して緊締部材および甲被３の双方に均等に張力を作用させる。
【００５１】
また、この場合には、緊締部材４０”，４１”の上端のみが甲被上部に固着されていることにより、靴紐４２からの引張力により生じる緊締部材４０”，４１”全体のシューズ内方への動きが甲被３の外側面３Ｃ，３Ｄによって阻害されることはなく、靴紐４２からの引張力に見合った十分な大きさの張力が緊締部材４０”，４１”に発生する。
【００５２】
これにより、緊締部材４０”，４１”に発生した張力のみならず、甲被３に発生した張力によって、着用者の足を十分に締め付けることができるようになり、その結果、甲被３と着用者の足とのフィット性を向上できる。このようにして、様々な形状の足に対応できるようになり、足の個体差に係らず、最適なフィット感を提供できる。
【００５３】
なお、前記各実施例では、テニスシューズを例にとって説明したが、本発明は、ランニングシューズやバスケットボールシューズなどのその他のスポーツシューズにも同様に適用可能である。
【図面の簡単な説明】
【００５４】
【図１】本発明の第１の実施例による緊締構造が採用されたシューズの外甲側側面図である。
【図２】図１の一部縦断面図である。
【図３】図２のIII-III線断面図である。
【図４】本発明の第１の実施例による緊締構造の作用効果を従来構造と比較して示すグラフである。
【図５】本発明の第２の実施例による緊締構造が採用されたシューズの外甲側側面図である。
【図６】図５の一部縦断面図である。
【図７】図６のVII-VII線断面図である。
【図８】本発明の第３の実施例による緊締構造が採用されたシューズの横断面図である。
【符号の説明】
【００５５】
１：  シューズ
２：  ソール
２Ａ：  踵部領域
２Ｂ：  中足部領域
３：  甲被
３Ａ，３Ｂ：  内側面
３Ｃ，３Ｄ：  外側面
４：  緊締構造
４０，４１：  緊締部材
４０ａ，４１ａ：  上端
４０ｂ，４１ｂ：  下端
４２：  靴紐
【図１】
2006346316.tif 000003
【図２】
2006346316.tif 000004
【図３】
2006346316.tif 000005
【図４】
2006346316.tif 000006
【図５】
2006346316.tif 000007
【図６】
2006346316.tif 000008
【図７】
2006346316.tif 000009
【図８】
2006346316.tif 000010